(57)【要約】【課題】通話が途中で途切れ難く、入浴中のユーザ等と他の部屋のユーザ等との意思の疎通を安定して図ることが可能な給湯装置を提供する。【解決手段】親リモコン２７と、この親リモコン２７との間の通話がインターホン機能にて可能な風呂リモコン２０とを備えた給湯装置である。通常モードでは、インターホン機能の通話信号を運転信号よりも優先させる。通話信号終了後に運転信号を送信する。故障や誤使用時に注意喚起信号を出力する注意喚起機能を備える。通話信号よりも注意喚起信号を優先させる。【選択図】図１
2007046876.tif 000002
【特許請求の範囲】
【請求項１】
親リモコン（２７）と、この親リモコン（２７）との間の通話がインターホン機能にて可能な風呂リモコン（２０）とを備えた給湯装置において、通常モードでは、インターホン機能の通話信号を運転信号よりも優先させ、上記通話信号終了後に上記運転信号を送信することを特徴とする給湯装置。
【請求項２】
故障時等に注意喚起信号を出力する注意喚起機能を備え、上記通話信号よりも注意喚起信号を優先させることを特徴とする請求項１の給湯装置。
【請求項３】
上記運転状況を表示する運転状況表示機能を備え、通話信号が所定設定時間を超えたときに、この通話信号を停止して運転状況を表示することを特徴とする請求項１の給湯装置。
【請求項４】
親リモコン（２７）又は風呂リモコン（２０）のスイッチ操作による運転信号の搬送中においては通話信号の送受信を停止することを特徴とする請求項１の給湯装置。
【発明の詳細な説明】
【技術分野】
【０００１】
この発明は、給湯装置に関するものである。
【背景技術】
【０００２】
給湯装置においては、浴室等にリモコンが配置され、このリモコンを操作することによって、浴槽の湯を補充する足し湯動作等の運転操作を行うことができる。最近、このリモコンにインターホン機能を持たせて、入浴者と他の部屋の者との会話（通話）を可能とすると共に、音声案内機能を持たせて、給湯装置の作動状況（運転状況）を音声で知らせる機能を具備するようにしたものがある（例えば、特許文献１参照）。
【０００３】
特許文献１に記載のものは、通話が終了して通話信号の入力が停止されてから所定時間にわたって音声案内の発音を禁止するようにしている。このため、音声案内の信号の途中で通話が終了しても、音声案内の途中から以降の部分も所定時間内に終了し、音声案内が途中から発音されるという不具合を解消するようにしている。
【特許文献１】特開２００４−３０９０６２号公報
【発明の開示】
【発明が解決しようとする課題】
【０００４】
しかしながら、通話信号と運転用制御信号とが同時に送信された場合、通話信号にノイズがのる。このため、通話信号をその間、キャンセルする必要があった。キャンセルすれば、このキャンセルされている間通話が途切れ、入浴中のユーザと他の部屋のユーザとの会話が遮断され、不便であった。
【０００５】
この発明は、上記従来の欠点を解決するためになされたものであって、その目的は、通話が途中で途切れ難く、入浴中のユーザ等と他の部屋のユーザ等との意思の疎通を安定して図ることが可能な給湯装置を提供することにある。
【課題を解決するための手段】
【０００６】
そこで請求項１の給湯装置は、親リモコン２７と、この親リモコン２７との間の通話がインターホン機能にて可能な風呂リモコン２０とを備えた給湯装置において、通常モードでは、インターホン機能の通話信号を運転信号よりも優先させ、上記通話信号終了後に上記運転信号を送信することを特徴としている。
【０００７】
請求項２の給湯装置は、故障等に注意喚起信号を出力する注意喚起機能を備え、上記通話信号よりも注意喚起信号を優先させることを特徴としている。
【０００８】
請求項３の給湯装置は、上記運転状況を表示する運転状況表示機能を備え、通話信号が所定設定時間を超えたときに、この通話信号を停止して運転状況を表示することを特徴としている。
【０００９】
請求項４の給湯装置は、親リモコン２７又は風呂リモコン２０のスイッチ操作による運転信号の送信中においては通話信号の送受信を停止することを特徴としている。
【発明の効果】
【００１０】
請求項１の給湯装置によれば、通常モードでは、インターホン機能の通話信号を運転操作の運転信号よりも優先させるので、通話中に通話が途切れることがない。このため、入浴中のユーザ等と他の部屋のユーザ等との意思の疎通を安定して図ることができる。しかも、通話が終われば、運転信号が送信されて、浴槽の湯を補充する足し湯動作等の各種の運転を行うようにすることができる。
【００１１】
給湯装置として、貯湯タンクを有する給湯ユニット（タンクユニット）と、貯湯タンク内の低温水を加熱して高温水として貯湯タンクに戻すヒートポンプユニットとを備えたものがある。このような給湯装置では、循環用ポンプが故障して、貯湯タンクからヒートポンプユニットに低温水を供給できない等の異常が発生する場合がある。請求項２の給湯装置によれば、このような異常発生時等に、注意喚起機能にてその異常をユーザに知らせることができる。しかも、注意喚起信号が出力された注意喚起モードでは、上記通話信号よりも注意喚起信号を優先させるので、ユーザは確実にその注意喚起状態を把握することができる。これによって、異常があるのに、その異常発生に気がつかず、異常状態のまま運転が行なわれるのを回避することができる。すなわち、異常状態のまま運転が行なわれず、給湯装置が故障するのを防止することができる。
【００１２】
請求項３の給湯装置によれば、運転状況を表示する運転状況表示機能を備えているので、ユーザはこの運転状況を把握することができる。ここで、運転状況とは、貯湯タンク内の使用可能な高温の湯の残量（残湯量）の状況等であって、この運転状況には、ユーザが定期的に知る必要があるものがある。このため、この給湯装置では、通話信号が所定設定時間を超えたときに、この通話信号を停止して、運転状況を表示することができる。すなわち、通話信号が所定設定時間を超えるような場合には、周囲の騒音による誤った通話信号による通話継続状態となっていたり、あるいは重要でない内容について会話されていることが多い。このため、この通話を停止して、ユーザが知る必要がある運転状況を表示するようにし、この給湯装置の使用性の向上を図ることができる。
【００１３】
請求項４の給湯装置によれば、風呂リモコンのスイッチ操作による運転信号の送信中においては、通話信号の送受信を停止することができる。すなわち、風呂リモコンのスイッチ２１操作にて行われる運転に関する運転信号（運転に関する信号であって、給湯温度の変更や貯湯タンク内の高温の湯を補充する沸き増し運転等を指令する信号）を、通話信号よりも優先して送信するようにすることができる。これによって、運転信号を送信中に、通話信号が入ってその運転操作が停止されないようにすることができ、ユーザが希望する運転を確実に行うことができる。
【発明を実施するための最良の形態】
【００１４】
次に、この発明の給湯装置の具体的な実施の形態について、図面を参照しつつ詳細に説明する。図１は給湯装置の全体簡略図である。給湯装置はヒートポンプ式給湯機であって、貯湯タンク１を有するタンクユニット２と、冷凍サイクル３を有する熱源ユニット（ヒートポンプユニット）４とを備え、タンクユニット２とヒートポンプユニット４とを制御する制御手段Ｓと、台所等に配置された親リモコン２７と、浴室に配置される風呂リモコン２０と備え、貯湯タンク１の水（温湯）をヒートポンプユニット２にて加熱するものである。
【００１５】
冷凍サイクル３は、圧縮機５と、水熱交換器６と、膨張弁７と、蒸発器８とを順に接続して構成される。そして、タンクユニット２は、上記貯湯タンク１と循環路９とを備え、この循環路９には、水循環用ポンプ１０と熱交換路１１とが介設されている。この場合、熱交換路１１は水熱交換器６にて構成される。
【００１６】
すなわち、圧縮機５を駆動させると共に、ポンプ１０を駆動（作動）させると、貯湯タンク１の底部に設けた取水口から貯溜水（温湯）が循環路９に流出し、これが熱交換路１１を流通する。そのときこの温湯は水熱交換器６によって加熱され（沸上げられ）、湯入口から貯湯タンク１の上部に返流される。これによって、貯湯タンク１に高温の温湯を貯めるものである。
【００１７】
この貯湯タンク１内の湯が浴槽１２等に供給される。また、浴槽１２には、この浴槽１２内の湯を保温するための保温用循環路１３が接続されている。保温用循環路１３は、循環配管１４と、この循環配管１４に介設されるポンプ１５及び保温用電気ヒータ１６とで構成される。すなわち、循環配管１４は、第１配管１４ａと第２配管１４ｂとからなり、第１配管１４ａにポンプ１５が介設され、第２配管１４ｂに保温用電気ヒータ１６が介設されている。このため、ポンプ１５が駆動することによって、浴槽１２内の湯がこの循環配管１４の第１配管１４ａに導入され、この第１配管１４ａから第２配管１４ｂに入り、保温用電気ヒータ１６にて暖められて浴槽に返流する。そして、この循環が継続することによって、浴槽１２内の湯が約一定の温度に維持される。
【００１８】
また、この保温用循環路１３は、貯湯タンク１の出湯口１７に接続される配管１８に接続される。配管１８には開閉弁１９が介設され、この開閉弁１９が開状態のときに、貯湯タンク１の高温の湯がこの配管１８及び保温用循環路１３を介して浴槽１２に供給され、浴槽１２への湯はり運転が行われる。そして、この開閉弁１９が閉状態のときに、上記したように、保温用循環路１３を浴槽１２の湯が循環することによって、保温運転が行われる。
【００１９】
そして、上記浴槽１２が配置された浴室には、風呂リモコン２０がその壁面に付設されている。風呂リモコン２０は、上記各種の運転操作を行う運転機能と、通話機能（インターホン機能）とを具備する。ここで、インターホン機能とは、風呂リモコン２０と親リモコン２７間での会話を可能とするものである。
【００２０】
図２に示すように、このリモコン２０は、各種の運転を指令する複数個の操作ボタン２１・・と、モニター画面２２と、音声発生部（スピーカ部）２３と音声送信部（マイク部）２４とを有する通話機能構成部２５とを備える。なお、図２において、２６は電源用スイッチである。
【００２１】
また、風呂リモコン２０が親リモコン２７に接続されている。この親リモコン２７には、図示省略するが、風呂リモコン２０と同様、音声発生部（スピーカ部）と音声送信部（マイク部）とを有する通話機能構成部とが設けられている。
【００２２】
このため、風呂リモコン２０において、通話機能構成部２５の音声送信部２４にユーザが音声を入力すれば、その通話信号が音声送信部２４から親リモコン２７に送信される。そして、親リモコン２７の音声発生部から通話信号に基づく音声が発生される。逆に、親リモコン２７の音声送信部にユーザが音声を入力すれば、その通話信号が音声送信部から風呂リモコン２０に送信される。そして、風呂リモコン２０の音声発生部から通話信号に基づく音声が発生される。このように、リモコン２０と親リモコン２８との間において会話が可能となっている。
【００２３】
また、風呂リモコン２０は、故障や誤使用時に注意喚起信号を出力する注意喚起機能を備えている。すなわち、機器の故障や誤使用による注意喚起をモニター画面２２上に表示する。なお、注意喚起信号には、さらに給湯設定温度を変更する際の給湯温度設定信号等も含まれる。
【００２４】
このため、この給湯装置においては、故障した異常状態となれば、その異常を検出する異常検出手段（注意喚起機能を発揮するための手段）を備える。例えば、湯水の循環系においては、ポンプ１０、１４等に異常が発生した場合には、電圧値に変動があり、異常検出手段としてこの変動を検出するものであればよい。また、ヒートポンプユニット４では、運転効率（ＣＯＰ）を向上させるために、圧縮機５の吐出管温度を制御する運転がある。このため、圧縮機５の吐出管の温度を吐出管温度検出手段（例えば、温度サーミスタ）にて検出していた。しかしながら、この吐出管温度検出手段が不良である場合には、吐出管温度検出手段が正しい吐出管の温度よりも低い温度を示す場合がある。このように、吐出管温度が低く検出されれば、非常に高い吐出ガス温度で圧縮機を運転することになる。このため、圧縮機の信頼性、ＣＯＰの低下を招くことになっていた。すなわち、吐出管温度検出手段にて異常検出手段を構成することができる。
【００２５】
上記したように、異常が発生した際には、モニター画面２２にその旨の表示が行なわれるが、その表示として、異常の部位、異常の種類等に応じて種々変更が可能である。例えば、その異常が発生している部位をイラスト（イラストレーション）で表すと共に、異常の種類を文章や記号等で表示したりすることができる。また、音声発生部２３から警告音（ブザー音）を発生させるようにしてもよい。
【００２６】
また、モニター画面２２は運転状況も表示することができる。すなわち、親リモコン２７や風呂リモコン２０は、運転状況を表示する運転状況表示機能を備える。ここで、運転状況とは、貯湯タンク１内の使用できる湯の残量（残湯量）状況等の定期的にユーザに知らせる必要がある情報である。
【００２７】
この場合、風呂リモコン２０は記憶手段（例えば、フラッシュメモリ）を備え、貯湯タンク１に湯を貯める沸上運転や浴槽１２の湯の保温運転等の各種の運転を制御する制御手段Ｓから注意喚起信号や運転状況表示信号等が指令した場合に、それらの信号が親リモコン２７や風呂リモコン２０に入力される。そして、信号が入力されると、その信号は一旦記憶手段に格納される。このように、記憶手段に信号が格納されると、格納されたことを示す信号が風呂リモコン２０の制御部（マイクロコンピュータ）に入力される。これによって、風呂リモコン２０は注意喚起機能や運転状況表示機能を発揮する。
【００２８】
注意喚起信号や運転状況表示信号は、スイッチ３０の手動操作又は制御手段Ｓからの出力指令に基づくものである。すなわち、注意喚起信号等を、スイッチ３０の手動操作によって出力したり、制御手段Ｓからの出力指令に基づいて出力したりすることができる。この給湯装置は、手動モードと自動モードとの運転が可能である。例えば、手動モードにおいては、スイッチ操作を行えば、その運転等に応じた注意喚起信号が出力される。また、自動モードにおいては、上記のように、異常検出手段にて異常状態が検出されれば、制御手段Ｓからの出力指令によって、スイッチ操作がなされることなく、異常である旨の「注意喚起」の音声ガイドが出力させる。
【００２９】
上記のように構成された給湯装置においては、浴室に設けられたリモコン２０を使用して、運転信号を発信させたり、通話信号を発信させたりすることができる。すなわち、図３に示すフローチャートに示すように機能させることができる。次に、このフローチャートに従ってその機能を説明する。
【００３０】
まず、この給湯装置は、ステップＳ０に示しているように、風呂リモコン２０のスイッチ２１操作にて行われる運転に関する運転信号（例えば、風呂設定温度変更信号や足し湯指令信号）を、通話信号の有無にかかわらず優先して送信するようにする。次に、ステップＳ１で通話信号と運転信号の出力指令信号が重なったか否かを判断して、重なっていればステップＳ２へ移行し、重なっていなければステップＳ３へ移行する。
【００３１】
ステップＳ２では注意喚起信号が出力されたか否かが判断される。注意喚起信号が出力されていればステップＳ４へ移行し、注意喚起信号が出力されていなければ、通常モードであり、ステップＳ５へ移行する。ステップＳ３ではその出力指令されたもの、例えば、通話信号が出力指令されれば、通話信号が出力され、運転信号が出力指令されれば、運転信号が出力される。ここで、上記通常モードとは、注意喚起信号が出力されていない状態であって、故障が発生していたり、誤操作されていない正常モードをいう。
【００３２】
ステップＳ４では注意喚起信号を出力する。すなわち、通話信号が発信されて会話中であっても、故障等が発生した場合に、その通話信号による通話を停止して注意喚起信号によって、モニター画面２２にその注意喚起状態を表示する。この場合、異常等が発生しているので、その後は、給湯装置の運転を停止して、その処置（例えば、異常箇所の修理）を行うことになる（終了）。なお、通話が途中で途切れる場合には、このことを事前に、音声やモニター表示で知らせるようにするのが好ましい。
【００３３】
ステップＳ５では通話信号を優先させて出力する。この場合、故障等が発生していないので、入浴中のユーザと他の部屋のユーザとが会話しているときに、運転信号が発信されたとしても会話が途切れないようにしている。ステップＳ５からはステップＳ６へ移行して、通話信号が所定設定時間を超えたか判断する。
【００３４】
ステップＳ６で通話信号が所定設定時間を超えている場合、ステップＳ７へ移行して運転状況を表示する。すなわち、通話信号が所定設定時間を超えるような場合には、重要でない内容について会話されている。このため、この通話を停止して、ユーザが知る必要がある運転状況を表示するようにしている。
【００３５】
また、ステップＳ６では通話信号が所定設定時間を超えていなければ、そのまま通話を継続させ、その後終了するようにしている。
【００３６】
上記給湯装置では、通常モードでは、インターホン機能の通話信号を運転操作の運転信号よりも優先させるので、通話中に通話が途切れることがない。このため、入浴中のユーザ等と他の部屋のユーザ等との意思の疎通を安定して図ることができる。しかも、通話が終われば、運転信号が送信されて、浴槽の湯を補充する足し湯動作等の各種の運転を行うようにすることができる。
【００３７】
異常発生時等に、注意喚起機能にてその注意喚起状態をユーザに知らせることができる。しかも、注意喚起信号が出力された注意喚起モードでは、上記通話信号よりも注意喚起信号を優先させるので、ユーザは確実にその注意喚起状態を把握することができる。これによって、異常があるのに、その異常発生に気がつかず、異常状態のまま運転が行なわれるのを回避することができる。すなわち、異常状態のまま運転が行なわれず、給湯装置が故障するのを防止することができる。
【００３８】
また、運転状況を表示する運転状況表示機能を備えているので、ユーザはこの運転状況を把握することができる。運転状況とは、貯湯タンク内の使用可能な高温の湯の残量（残湯量）の状況等であって、ユーザは定期的に知る必要があるものがある。このため、この給湯装置では、通話信号が所定設定時間を超えたときに、この通話信号を停止して、運転状況を表示することができる。すなわち、通話信号が所定設定時間を超えるような場合には、周囲の騒音による誤った通話信号による通話継続状態となっていたり、あるいは重要でない内容について会話されていることが多い。このため、この通話を停止して、ユーザが知る必要がある運転状況を表示するようにし、この給湯装置の使用性の向上を図ることができる。
【００３９】
ところで、この給湯装置では、風呂リモコンのスイッチ操作による運転信号の送信中においては、通話信号の送受信を停止することができる。すなわち、風呂リモコン２０のスイッチ２１操作にて行われる運転に関する運転信号（運転に関する信号であって、風呂設定温度変更信号、給湯温度の変更や貯湯タンク内の高温の湯を補充する沸き増し運転等を指令する信号）を、通話信号よりも優先して送信するようにすることができる。これによって、運転操作を行っている途中に、通話信号が入ってその運転操作が停止されないようにすることができ、ユーザが希望する運転変更を確実に行うことができる。
【００４０】
以上にこの発明の具体的な実施の形態について説明したが、この発明は上記形態に限定されるものではなく、この発明の範囲内で種々変更して実施することができる。例えば、給湯装置として、上記実施の形態では、加熱源としてヒートポンプユニットを使用したヒートポンプ式給湯機であったが、加熱源を他の電気ヒータ等を使用したものであってもよい。また、貯湯タンクを有さないものであってもよい。さらに、図３のステップＳ６での所定設定時間としては任意に設定することができる。また、寝室や子供部屋等に子リモコンを配置し、この子リモコンと親リモコンとの間の通話、子リモコンと風呂リモコンとの間の通話、子リモコン間の通話を可能とするようにしてもよい。
【図面の簡単な説明】
【００４１】
【図１】この発明の給湯装置を使用した給湯装置の簡略図である。
【図２】上記給湯装置の簡略図である。
【図３】この発明の給湯装置の機能を説明するフローチャート図である。
【符号の説明】
【００４２】
２０・・風呂リモコン、２７・・親リモコン
【図１】
2007046876.tif 000003
【図２】
2007046876.tif 000004
【図３】
2007046876.tif 000005